(57)【要約】【課題】屈曲部を有するコーナ部、コーナ部に連続する外側直線部および外側直線部と対向する内側直線部を有する掘削空間の側壁に対して、当該側壁を支える新規な構造の土留壁構造物を提供することを目的とする。【解決手段】本発明の土留壁構造物１は、側壁のコーナ部Ｃを支えるコーナ部用土留壁１０と、側壁の外側直線部Ｓ１を支える外側直線部用土留壁２０と、側壁の内側直線部Ｓ３を支える内側直線部用土留壁３０とを備えている。【選択図】図１
2015108284.tif 000002
【特許請求の範囲】
【請求項１】
屈曲部を有するコーナ部と、前記コーナ部と連続する外側直線部と、前記外側直線部と所定間隔あけて対向する内側直線部と、を有する掘削空間の側壁を支える土留壁構造物であって、
前記側壁の前記コーナ部を支えるコーナ部用土留壁と、
前記側壁の前記外側直線部を支える外側直線部用土留壁と、
前記側壁の前記内側直線部を支える内側直線部用土留壁と、
を備えている、
ことを特徴とする土留壁構造物。
【請求項２】
前記側壁の前記コーナ部から前記コーナ部用土留壁に対して働く土圧を、前記外側直線部用土留壁によって受け止めるよう構成されている、
ことを特徴とする請求項１に記載の土留壁構造物。
【請求項３】
前記コーナ部用土留壁は、
前記コーナ部に配置される複数の縦梁であって、少なくとも前記コーナ部の屈曲部に配置される縦梁を含む複数の縦梁と、
複数の前記縦梁のうち、前記コーナ部に沿って隣接する縦梁同士を接続する、長さ調節可能な横梁と、
前記コーナ部と前記横梁との間で保持される分割パネルであって、前記コーナ部に沿って配列される複数の分割パネルと、を備え、
前記外側直線部用土留壁は、
前記コーナ部に配置される複数の縦梁のうち、両端に配置される前記縦梁にそれぞれ接続されると共に、前記外側直線部に沿って配置される第一パネルを備え、
前記内側直線部用土留壁は、
前記内側直線部に沿って配置される第二パネルを備え、
前記第一パネルと前記第二パネルとは、長さ調節可能な切梁によって支持されている、
ことを特徴とする請求項１または２に記載の土留壁構造物。
【請求項４】
複数の前記縦梁は、
前記コーナ部の始点に配置される縦梁と、
前記コーナ部の終点に配置される縦梁と、
前記コーナ部の始点と終点との間に配置される縦梁であって、少なくとも前記コーナ部の屈曲部に配置される縦梁と、を備え、
前記第一パネルは、
前記コーナ部の始点および終点にそれぞれ配置される前記縦梁にそれぞれ接続される、
ことを特徴とする請求項３に記載の土留壁構造物。
【請求項５】
屈曲部を有する第一コーナ部と、前記第一コーナ部と連続する外側直線部と、屈曲部を有し前記第一コーナ部と所定間隔あけて対向する第二コーナ部と、前記第二コーナ部と連続し、前記外側直線部と所定間隔あけて対向する内側直線部と、を有する掘削空間の側壁を支える土留壁構造物であって、
前記側壁の前記第一コーナ部を支える第一コーナ部用土留壁と、
前記側壁の前記外側直線部を支える外側直線部用土留壁と、
前記側壁の前記第二コーナ部を支える第二コーナ部用土留壁と、
前記側壁の前記内側直線部を支える内側直線部用土留壁と、
を備え、
前記第一コーナ部用土留壁は、
前記第一コーナ部に配置される複数の縦梁であって、少なくとも前記第一コーナ部の屈曲部に配置される縦梁を含む複数の縦梁と、
複数の前記縦梁のうち、前記第一コーナ部に沿って隣接する縦梁同士を接続する、長さ調節可能な横梁と、
前記第一コーナ部と前記横梁との間で保持される分割パネルであって、前記第一コーナ部に沿って配列される複数の分割パネルと、を備え、
前記外側直線部用土留壁は、
前記第一コーナ部に配置される複数の縦梁のうち、両端に配置される前記縦梁にそれぞれ接続されると共に、前記外側直線部に沿って配置される第一パネルを備え、
前記第二コーナ部用土留壁は、
前記第二コーナ部に配置される複数の縦梁であって、少なくとも前記第二コーナ部の屈曲部に配置される縦梁を含む複数の縦梁と、
複数の前記縦梁のうち、前記第二コーナ部に沿って隣接する縦梁同士を接続する、長さ調節可能な横梁と、
前記第二コーナ部と前記横梁との間で保持される分割パネルであって、前記第二コーナ部に沿って配列される複数の分割パネルと、を備え、
前記内側直線部用土留壁は、
前記第二コーナ部に配置される複数の縦梁のうち、両端に配置される前記縦梁にそれぞれ接続されると共に、前記内側直線部に沿って配置される第二パネルを備え、
前記第一パネルと前記第二パネルとは、長さ調節可能な切梁によって支持されている、
ことを特徴とする土留壁構造物。
【請求項６】
前記第一パネルに接続される前記縦梁の端部または前記第一パネルの端部の一方には挿入部が設けられ、前記第一パネルに接続される前記縦梁の端部または前記第一パネルの端部の他方には前記挿入部を受け入れる受領部が設けられている、
ことを特徴とする請求項３から５のいずれか１項に記載の土留壁構造物。
【請求項７】
前記第二パネルに接続される前記縦梁の端部または前記第二パネルの端部の一方には挿入部が設けられ、前記第二パネルに接続される前記縦梁の端部または前記第二パネルの端部の他方には前記挿入部を受け入れる受領部が設けられている、
ことを特徴とする請求項５に記載の土留壁構造物。
【請求項８】
前記切梁は、水平面内において旋回可能に、前記第一パネルおよび前記第二パネルに接続されている、
ことを特徴とする請求項３から７のいずれか１項に記載の土留壁構造物。
【請求項９】
複数の前記縦梁のうち、前記コーナ部に沿って隣接する縦梁同士以外の縦梁同士を接続する支持部材をさらに備えている、
ことを特徴とする請求項３から８のいずれか１項に記載の土留壁構造物。
【請求項１０】
当該土留壁構造物は、曲管を前記掘削空間内に埋設する際に使用される、
ことを特徴とする請求項１から９のいずれか１項に記載の土留壁構造物。
【請求項１１】
屈曲部を有するコーナ部と、前記コーナ部と連続する外側直線部と、前記外側直線部と所定間隔あけて対向する内側直線部と、を有する掘削空間の側壁を支える土留壁構造物の構築方法であって、
第一パネルおよび第二パネルを長さ調節可能な切梁で接続し、前記切梁によって接続された前記第一パネルおよび前記第二パネルをそれぞれ前記外側直線部および前記内側直線部に配置して、前記外側直線部の土留壁および前記内側直線部の土留壁を形成する工程と、
前記側壁のコーナ部の形状に合わせて複数の縦梁を配置し、前記縦梁のうち隣接する縦梁同士を長さ調節可能な横梁で接続して連結体を形成し、前記連結体を前記コーナ部に設置し、前記コーナ部と前記横梁との間に、複数の分割パネルを前記コーナ部に沿って挿入する工程と、
を備えていることを特徴とする土留壁構造物の構築方法。
【発明の詳細な説明】
【技術分野】
【０００１】
本発明は、土留壁構造物およびその構築方法に関する。
【背景技術】
【０００２】
地中に埋設物を埋設する際には、地盤を掘削し、そして掘削された掘削空間の側壁に対して土留壁を設置する必要がある。このような土留壁としては、例えば特許文献１に開示されている土留壁が知られている。特許文献１には、一対の土留プレート９０を相互に対向させてその両側内面にジョイント９２を設け、両土留プレート９０を相互に切梁９１で連結してなるボックス方式の土留壁が開示されている（特許文献１の段落［０００３］および図５）。
【先行技術文献】
【特許文献】
【０００３】
【特許文献１】特開平０７−０７６８４２号公報
【発明の概要】
【発明が解決しようとする課題】
【０００４】
図１１は、掘削空間の一例を示す平面図である。埋設物が例えば曲管のように直線部と曲線部とを有する形状の場合には、掘削空間も埋設物の形状に合わせて掘削される。この場合の掘削空間の側壁は、図１１に示すように、屈曲部Ｃ１を有するコーナ部Ｃ、コーナ部Ｃと連続する外側直線部Ｓ１および外側直線部Ｓ１と対向する内側直線部Ｓ２とを有している。そして、土留壁は、掘削空間の側壁のコーナ部Ｃ、外側直線部Ｓ１および内側直線部Ｓ２に対してそれぞれ設置する必要がある。
【０００５】
しかしながら、特許文献１に記載の土留壁は、側壁の外側直線部Ｓ１と側壁の内側直線部Ｓ２に対する土留壁としては使用できるものの、側壁のコーナ部Ｃに対しては使用することができない。なぜなら、側壁の外側直線部Ｓ１に設置した土留パネルおよび側壁の内側直線部Ｓ２に設置した土留パネルには、それらの土留パネルに対して切梁を垂直に設置することができるため、その切梁によってそれらの土留パネルを支持することができるが、側壁のコーナ部Ｃに土留パネルを設置したとしても、切梁を垂直に設置できる相手方の土留パネルが存在しないため、設置した土留パネルを支持することができないからである。
【０００６】
このように、掘削空間の側壁のコーナ部Ｃを土留めする土留壁の構造は未だ確立されておらず、また、屈曲部Ｃ１を有するコーナ部Ｃ、コーナ部Ｃと連続する外側直線部Ｓ１および外側直線部Ｓ１と対向する内側直線部Ｓ２を有する掘削空間の側壁に対して、当該側壁を支える土留壁構造物も未だ確立されていない。
【０００７】
本発明は、屈曲部を有するコーナ部、コーナ部に連続する外側直線部および外側直線部と対向する内側直線部を有する掘削空間の側壁に対して、当該側壁を支える新規な構造の土留壁構造物を提供することを目的とする。また、本発明は、屈曲部を有する第一コーナ部、第一コーナ部に連続する外側直線部、屈曲部を有し第一コーナ部と所定間隔あけて対向する第二コーナ部および第二コーナ部と連続し外側直線部と対向する内側直線部を有する掘削空間の側壁に対して、当該側壁を支える新規な構造の土留壁構造物を提供することを目的とする。また、本発明は、それらの土留壁構造物の構築方法を提供することも目的とする。
【課題を解決するための手段】
【０００８】
本願の第一の発明は、屈曲部を有するコーナ部と、コーナ部と連続する外側直線部と、外側直線部と所定間隔あけて対向する内側直線部と、を有する掘削空間の側壁を支える土留壁構造物に関する。当該土留壁構造物は、側壁のコーナ部を支えるコーナ部用土留壁と、側壁の外側直線部を支える外側直線部用土留壁と、側壁の内側直線部を支える内側直線部用土留壁と、を備えていることを特徴としている。
【０００９】
上記特徴により、屈曲部を有するコーナ部、コーナ部に連続する外側直線部および外側直線部と対向する内側直線部を有する掘削空間の側壁に対して、当該側壁を支える土留壁構造物を提供することができる。
【００１０】
本発明の土留壁構造物において、側壁のコーナ部からコーナ部用土留壁に対して働く土圧を、外側直線部用土留壁によって受け止めるよう構成されていることが好ましい。
【００１１】
上記特徴により、側壁のコーナ部からコーナ部用土留壁に対して働く土圧が外側直線部用土留壁に伝達され、その土圧を外側直線部用土留壁によって受け止めることができる。これにより、コーナ部用土留壁と外側直線部用土留壁とによって、側壁のコーナ部から働く土圧に対抗することができる。
【００１２】
本発明の土留壁構造物において、コーナ部用土留壁は、コーナ部に配置される複数の縦梁であって、少なくともコーナ部の屈曲部に配置される縦梁を含む複数の縦梁と、それらの複数の縦梁のうち、コーナ部に沿って隣接する縦梁同士を接続する、長さ調節可能な横梁と、コーナ部と横梁との間で保持される分割パネルであって、コーナ部に沿って配列される複数の分割パネルと、を備え、外側直線部用土留壁は、コーナ部に配置された複数の縦梁のうち、両端に配置される縦梁にそれぞれ接続されると共に、外側直線部に沿って配置される第一パネルを備え、内側直線部用土留壁は、内側直線部に沿って配置される第二パネルを備え、第一パネルと第二パネルとは、長さ調節可能な切梁によって支持されていることが好ましい。
【００１３】
本発明の土留壁構造物において、複数の縦梁は、コーナ部の始点に配置される縦梁と、コーナ部の終点に配置される縦梁と、コーナ部の始点と終点との間に配置される縦梁であって、少なくともコーナ部の屈曲部に配置される縦梁と、を備え、第一パネルは、コーナ部の始点および終点にそれぞれ配置される縦梁にそれぞれ接続されることが好ましい。
【００１４】
上記の通り、コーナ部に沿って隣接する縦梁間は長さ調節可能な横梁によって接続されており、かつ、第一パネルと第二パネルとは長さ調節可能な切梁によって接続されている。そのため、側壁のコーナ部の寸法や、側壁の外側直線部と内側直線部との間隔に合わせて、コーナ部用土留壁の寸法や、外側直線部用土留壁と内側直線部用土留壁との間隔を調節することができる。
【００１５】
また、側壁のコーナ部からコーナ部用土留壁が受ける土圧が、コーナ部用土留壁の縦梁から外側直線部用土留壁の第一パネルに伝達され、第一パネルによってその土圧を受け止め、コーナ部用土留壁と外側直線部用土留壁とによってその土圧に対抗することができる。
【００１６】
本願の第二の発明は、屈曲部を有する第一コーナ部と、第一コーナ部と連続する外側直線部と、屈曲部を有し、第一コーナ部と所定間隔あけて対向する第二コーナ部と、第二コーナ部と連続し、外側直線部と所定間隔あけて対向する内側直線部と、を有する掘削空間の側壁を支える土留壁構造物に関する。当該発明は、側壁の第一コーナ部を支える第一コーナ部用土留壁と、側壁の外側直線部を支える外側直線部用土留壁と、側壁の第二コーナ部を支える第二コーナ部用土留壁と、側壁の内側直線部を支える内側直線部用土留壁と、を備え、第一コーナ部用土留壁は、第一コーナ部に配置される複数の縦梁であって、少なくとも第一コーナ部の屈曲部に配置される縦梁を含む複数の縦梁と、複数の縦梁のうち、第一コーナ部に沿って隣接する縦梁同士を接続する、長さ調節可能な横梁と、第一コーナ部と横梁との間で保持される分割パネルであって、第一コーナ部に沿って配列される複数の分割パネルと、を備え、外側直線部用土留壁は、第一コーナ部に配置された複数の縦梁のうち、両端に配置される縦梁にそれぞれ接続されると共に、外側直線部に沿って配置される第一パネルを備え、第二コーナ部用土留壁は、第二コーナ部に配置される複数の縦梁であって、少なくとも第二コーナ部の屈曲部に配置される縦梁を含む複数の縦梁と、複数の縦梁のうち、第二コーナ部に沿って隣接する縦梁同士を接続する、長さ調節可能な横梁と、第二コーナ部と横梁との間で保持される分割パネルであって、第二コーナ部に沿って配列される複数の分割パネルと、を備え、内側直線部用土留壁は、第二コーナ部に配置された複数の縦梁のうち、両端に配置される縦梁にそれぞれ接続されると共に、内側直線部に沿って配置される第二パネルを備え、第一パネルと第二パネルとは、長さ調節可能な切梁によって支持されていることを特徴としている。
【００１７】
上記特徴により、屈曲部を有する第一コーナ部、第一コーナ部に連続する外側直線部、屈曲部を有し第一コーナ部と所定間隔あけて対向する第二コーナ部および第二コーナ部と連続し外側直線部と対向する内側直線部を有する掘削空間の側壁に対して、当該側壁を支える新規な構造の土留壁構造物を提供することができる。
【００１８】
また、側壁のコーナ部に沿って隣接する縦梁間は長さ調節可能な横梁によって接続されており、かつ、第一パネルと第二パネルとは長さ調節可能な切梁によって接続されている。そのため、側壁のコーナ部の寸法や、側壁の外側直線部と内側直線部との間隔に合わせて、第一コーナ部用土留壁の寸法、第二コーナ部用土留壁の寸法、および、外側直線部用土留壁と内側直線部用土留壁との間隔を調節することができる。
【００１９】
また、側壁の第一コーナ部から第一コーナ部用土留壁が受ける土圧が、第一コーナ部用土留壁の縦梁から外側直線部用土留壁の第一パネルに伝達され、第一パネルによってその土圧を受け止め、第一コーナ部用土留壁と外側直線部用土留壁とによってその土圧に対抗することができる。同様に、側壁の第二コーナ部から第二コーナ部用土留壁が受ける土圧が、第二コーナ部用土留壁の縦梁から内側直線部用土留壁の第二パネルに伝達され、第二パネルによってその土圧を受け止め、第二コーナ部用土留壁と内側直線部用土留壁とによってその土圧に対抗することができる。
【００２０】
本願の第一発明および第二発明の土留壁構造物において、第一パネルに接続される縦梁の端部または第一パネルの端部の一方には挿入部が設けられ、第一パネルに接続される縦梁の端部または第一パネルの端部の他方には挿入部を受け入れる受領部が設けられていることが好ましい。
【００２１】
上記特徴により、第一パネルと縦梁とを強固に接続することができる。また、側壁のコーナ部からコーナ部用土留壁が受ける土圧を第一パネルに確実に伝達し、第一パネルによってその土圧を受け止め、コーナ部用土留壁と内側直線部用土留壁とによって、側壁のコーナ部からの土圧に対抗することができる。
【００２２】
本願の第二発明の土留壁構造物において、第二パネルに接続される縦梁の端部または第二パネルの端部の一方には挿入部が設けられ、第二パネルに接続される縦梁の端部または第二パネルの端部の他方には挿入部を受け入れる受領部が設けられていることが好ましい。
【００２３】
上記特徴により、第二パネルと縦梁とを強固に接続することができる。また、側壁のコーナ部からコーナ部用土留壁が受ける土圧を第二パネルに確実に伝達し、第二パネルによってその土圧を受け止め、コーナ部用土留壁と外側直線部用土留壁とによって、側壁のコーナ部からの土圧に対抗することができる。
【００２４】
本願の第一発明および第二発明の土留壁構造物において、切梁は、水平面内において旋回可能に、第一パネルおよび第二パネルに接続されていることが好ましい。
【００２５】
上記特徴により、埋設物を掘削空間内に埋設する際に、切梁と埋設物との干渉を防止することができる。
【００２６】
本願の第一発明および第二発明の土留壁構造物において、複数の縦梁のうち、コーナ部に沿って隣接する縦梁同士以外の縦梁同士を接続する支持部材をさらに備えていることが好ましい。
【００２７】
上記特徴により、支持部材によって縦梁同士をさらに強固に支持することができる。
【００２８】
本願の第一発明および第二発明の土留壁構造物は、曲管を掘削空間内に埋設する際に使用されることが好ましい。
【００２９】
上記の通り、当該土留壁構造物は、曲管を埋設する際に、掘削空間の側壁を支える土留壁として好適に使用することができる。
【００３０】
本願の第三の発明は、屈曲部を有するコーナ部と、コーナ部と連続する外側直線部と、外側直線部と所定間隔あけて対向する内側直線部と、を有する掘削空間の側壁を支える土留壁構造物の構築方法に関する。当該構築方法は、第一パネルおよび第二パネルを長さ調節可能な切梁で接続し、切梁によって接続された第一パネルおよび第二パネルをそれぞれ外側直線部および内側直線部に配置して、外側直線部の土留壁および内側直線部の土留壁を形成する工程と、側壁のコーナ部の形状に合わせて複数の縦梁を配置し、縦梁のうち隣接する縦梁同士を長さ調節可能な横梁で接続して連結体を形成し、連結体をコーナ部に設置し、コーナ部と横梁との間に、複数の分割パネルをコーナ部に沿って挿入する工程と、を備えていることを特徴としている。
【００３１】
上記特徴により、屈曲部を有するコーナ部と、コーナ部と連続する外側直線部と、外側直線部と所定間隔あけて対向する内側直線部と、を有する掘削空間の側壁を支える土留壁構造物の構築方法を提供することができる。
【図面の簡単な説明】
【００３２】
【図１】本発明の土留壁構造物を掘削空間に配置した状態を表す平面図である。
【図２】コーナ部用土留壁を表す斜視図である。
【図３】（ａ）は縦梁の平面図であり、（ｂ）は縦梁の正面図あり、（ｃ）は縦梁の平面図であり、（ｄ）は縦梁の正面図である。
【図４】（ａ）はブラケットに横梁を取り付ける前の状態を表す斜視図であり、（ｂ）はブラケットに横梁を取り付けた後の状態を表す斜視図である。
【図５】外側直線部用土留壁および内側直線部用土留壁を切梁によって支持した状態を表す斜視図である。
【図６】（ａ）は第一パネルの正面図であり、（ｂ）第二パネルの正面図であり、（ｃ）は第一パネルと縦梁との接続方法を表す拡大斜視図である。
【図７】（ａ）はブラケットに切梁を取り付ける前の状態を表す斜視図であり、（ｂ）はブラケットに切梁を取り付けた後の状態を表す斜視図であり、（ｃ）は切梁を旋回させた状態を表す斜視図である。
【図８】（ａ）はブラケットの変形例を表す斜視図であり、（ｂ）は縦梁を支持部材で支持した状態を表す平面図である。
【図９】（ａ）は土留壁構造物の第二実施形態を表す平面図であり、（ｂ）は土留壁構造物の第三実施形態を表す平面図であり、（ｃ）は土留壁構造物の第四実施形態を表す平面図である。
【図１０】（ａ）から（ｃ）は本発明の土留壁構造物の設置手順を表す模式図である。
【図１１】掘削空間の平面図である。
【発明を実施するための形態】
【００３３】
本発明について図面を参照しながら説明する。なお、以下で説明する実施形態は、いずれも本発明の好ましい一具体例を示すものである。本発明は、以下の実施形態に限定されず、その主旨を逸脱しない範囲で適宜変更可能である。
【００３４】
本発明の土留構造物１は、例えば図１１に示すような、屈曲部Ｃ１を有するコーナ部Ｃと、コーナ部Ｃと連続する外側直線部Ｓ１と、外側直線部Ｓ１と所定間隔あけて対向する内側直線部Ｓ２と、を有する掘削空間の側壁を支える土留壁構造物１であり、特に略垂直に立設された側壁を土留めする土留壁構造物として有用である。本発明の土留構造物１は、例えば曲管のような曲がった形状を有する埋設物を上記のような掘削空間内に埋設する工事などにおいて利用される。
【００３５】
＜第一実施形態＞
図１は、本発明の土留構造物１を掘削空間に配置した状態を表す平面図である。本実施形態では、コーナ部Ｃの屈曲部Ｃ１の角度αが約９０度の場合について説明する。図１に示すように、土留壁構造物１は、側壁のコーナ部Ｃを支えるコーナ部用土留壁１０と、側壁の外側直線部Ｓ１を支える外側直線部用土留壁２０と、側壁の内側直線部Ｓ２を支える内側直線部用土留壁３０とを備えている。
【００３６】
コーナ部用土留壁１０は、コーナ部Ｃの屈曲部Ｃ１に配置される縦梁１１、並びに、コーナ部Ｃの始点Ｃ２および終点Ｃ３にそれぞれ配置される縦梁１２を備えている。なお、縦梁１１および縦梁１２をまとめて「各縦梁（１１、１２）」と表記することがある。コーナ部Ｃに沿って隣接する縦梁１１と縦梁１２とは、後述するブラケット１３（図４参照）を介して横梁１４によって連結されている。側壁のコーナ部Ｃと横梁１４との間には、複数の分割パネル１５がコーナ部Ｃに沿って配置されている。
【００３７】
なお、図１では、コーナ部Ｃの屈曲部Ｃ１に縦梁１１が配置され、コーナ部Ｃの始点Ｃ２および終点Ｃ３にそれぞれ縦梁１２が配置されている場合について示しているが、縦梁は、屈曲部Ｃ１と始点Ｃ２との間の位置や、屈曲部Ｃ１と終点Ｃ３との間の位置にも配置されていてもよい。すなわち、縦梁１１と縦梁１２との間の位置に、別の縦梁が配置されていてもよい。
【００３８】
外側直線部用土留壁２０は、側壁の外側直線部Ｓ１に沿って配置される第一パネル２１（２１Ａ、２１Ｂ）を備え、内側直線部用土留壁３０は、第一パネル２１（２１Ａ、２１Ｂ）と対向し、側壁の内側直線部Ｓ２に沿って配置される第二パネル３１（３１Ａ、３１Ｂ）を備えている。なお、第一パネル２１および第二パネル３１をまとめて「各パネル（２１、３１）」と表記することがある。側壁の外側直線部Ｓ１に沿って配置される第一パネル（２１Ａ、２１Ｂ）は、コーナ部Ｃの始点Ｃ２および終点Ｃ３にそれぞれ配置されている縦梁１２とそれぞれ接続されている。内側直線部Ｓ２が交わる角部Ｓ２’において、第二パネル３１Ａと第二パネル３１Ｂとは、第二パネル３１Ｂに第二パネル３１Ａの端部を当接させるようにして配置される。各パネル（２１、３１）には、ブラケット４０がそれぞれ取り付けられている。そして、対向して配置された第一パネル２１と第二パネル３１との間には、ブラケット４０を介して切梁５０が架設され、各パネル（２１、３１）は切梁５０によって支持されている。
【００３９】
以下では、コーナ部用土留壁１０、外側直線部用土留壁２０および内側直線部用土留壁３０の詳細について説明する。
【００４０】
図２は、コーナ部用土留壁１０の斜視図である。図３（ａ）は、縦梁１１の平面図であり、図３（ｂ）は、縦梁１１の正面図である。図３（ｃ）は、縦梁１２の平面図であり、図３（ｄ）は、縦梁１２の正面図である。
【００４１】
図２および図３に示すように、本実施形態において各縦梁（１１、１２）は角パイプからなる。しかし、各縦梁（１１、１２）の形状はこれに限定されない。図３（ａ）および（ｂ）に示すように、縦梁１１は強度を向上させるため、隣接する２つの側面に補強部１１ａを備えている。なお、補強部１１ａは必要に応じて設けるものとし、補強部１１ａを設けない構成も可能である。縦梁１２の側面１２ａには、第一パネル２１と接続するための係合レール部１２ｂ（挿入部の一例）が縦梁１２の長手方向に沿って設けられている。
【００４２】
図４（ａ）は、ブラケット１３に横梁１４を接続する前の状態を示す斜視図であり、図４（ｂ）は、ブラケット１３に横梁１４を接続した後の状態を示す斜視図である。ブラケット１３は、各縦梁（１１、１２）に横梁１４を取り付けるための部材である。
【００４３】
図４（ａ）に示すように、ブラケット１３は、ブラケット１３を各縦梁（１１、１２）に固定するための第一プレート１３ａと、第一プレート１３ａから略垂直に突出し、所定間隔あけて設けられた２つの第二プレート１３ｂとからなる。第一プレート１３ａには複数の貫通穴が設けられており、それらの貫通穴にボルト等の締結部材を挿入することによりブラケット１３は各縦梁（１１、１２）に取り付けられる。なお、本実施形態では、縦梁１１の補強部１１ａには、各補強部１１ａに対し縦方向に所定間隔空けて２つのブラケット１３がそれぞれ取り付けられている（図２参照）。また、縦梁１２の側面１２ｃ（側面１２ａとは反対側の側面）に、縦方向に所定間隔あけて２つのブラケット１３がそれぞれ取り付けられている（図２参照）。また、２つの第二プレート１３ｂには、貫通穴１３ｃがそれぞれ設けられている。２つの第二プレート１３ｂ間の間隔は、横梁１４の内径よりも小さく形成されている。
【００４４】
本実施形態において横梁１４は角パイプからなる。しかし、横梁１４の形状はこれに限定されない。横梁１４の長手方向両端部には、ブラケット１３と連結するための貫通穴１４ａがそれぞれ設けられている。
【００４５】
横梁１４は、２本のパイプが入れ子状となっており、それらのパイプが相対的にスライドすることにより伸縮して長さの調節が可能となっている。横梁１４は、水圧ポンプ（不図示）に接続され、その水圧ポンプから送られる液体の水圧によって伸長する水圧式の横梁である。
【００４６】
図４（ｂ）に示すように、横梁１４の両端部内にブラケット１３の第二プレート１３ｂを挿入し、横梁１４の貫通穴１４ａ中心と第二プレートの貫通穴１３ｃ中心とを略一致させた状態で、ピン等の接続部材Ｐをそれらの貫通穴に挿入することにより、横梁１４はブラケット１３と接続される。
【００４７】
なお、図４（ａ）および（ｂ）では、ピンＰ１が横梁１４の貫通穴１４ａおよび第二プレートの貫通穴１３ｃに挿入され、さらにピンＰ１の下部に設けられた貫通穴にピンＰ２が挿入される状態を表している。ピンＰ２をピンＰ１の下部の貫通穴に挿入することにより、ピンＰ１が横梁１４の貫通穴１４ａおよび第二プレートの貫通穴１３ｃから抜けてしまうことを防止している。
【００４８】
前記の通り、側壁のコーナ部Ｃと横梁１４との間には、複数の分割パネル１５がコーナ部Ｃに沿って配置される（図１および図２参照）。分割パネル１５は、好ましくは木製またはアルミニウム若しくは鉄などの金属製の矢板である。
【００４９】
図５は、外側直線部用土留壁２０および内側直線部用土留壁３０を示す斜視図である。図６（ａ）は、外側直線部用土留壁２０を構成する第一パネル２１の正面図である。図６（ｂ）は、内側直線部用土留壁３０を構成する第二パネル３１の正面図である。図６（ｃ）は、第一パネル２１と、縦梁１２との接続方法を表す拡大斜視図である。
【００５０】
図５および図６（ａ）に示すように、第一パネル２１の端部には、縦梁１２の係合レール部１２ｂが挿入されるガイドレール部（受領部の一例）２１ｂが縦方向に第一パネル２１に沿って設けられている。なお、本実施形態では、第二パネル３１にはガイドレール部は設けられていない。また、図６（ａ）に示すように、第一パネル２１には縦方向に複数の鍵穴２１ａが設けられ、図６（ｂ）に示すように、第二パネル３１には縦方向に複数の鍵穴３１ａが設けられている。
【００５１】
第一パネル２１と縦梁１２との接続方法について説明する。第一パネル２１と縦梁１２とは、縦梁１２の係合レール部１２ｂを第一パネル２１のガイドレール部２１ｂにスライドさせて挿入するか（図６（ｃ）参照）、または、第一パネル２１のガイドレール部２１ｂを縦梁１２の係合レール部１２ｂにスライドさせて挿入することにより接続される。これにより、側壁のコーナ部Ｃからコーナ部用土留壁１０が受ける土圧が第一パネル２１に伝達されると共に、その土圧を第一パネル２１によって受け止めることができる。なお、第一パネル２１に係合レール部が設けられ、縦梁１２にその係合レール部が挿入されるガイドレール部が設けられていてもよい。また、第一パネル２１と縦梁１２とは、側壁のコーナ部Ｃからコーナ部用土留壁１０が受ける土圧を第一パネル２１に伝達することができると共に第一パネル２１によってその土圧を受け止めることができるよう接続されていればよい。したがって、本実施形態では、例えば、ガイドレール部２１ｂが設けられていない第一パネル２１の端部と、係合レール部１２ｂが設けられていない縦梁１２の側面１２ａとが単に接触（当接）している構成であってもよい。
【００５２】
縦梁１２と第一パネル２１とを接続した後、横梁１４に水圧をかけることにより、屈曲部Ｃ１に配置されている縦梁１１がコーナ部Ｃ側へ押圧されると共に、始点Ｃ２および終点Ｃ３に配置されている縦梁１２がそれぞれ第一パネル２１Ａおよび第一パネル２１Ｂに向けて押圧される。そして横梁１４はその水圧により、側壁のコーナ部Ｃからの土圧に対抗する。
【００５３】
次に、切梁５０と、第一パネル２１および第二パネル３１との接続方法について説明する。図７（ａ）は、ブラケット４０に切梁５０を接続する前の状態を示す斜視図である。図７（ｂ）は、ブラケット４０に切梁５０を接続した後の状態を示す斜視図である。
【００５４】
図７（ａ）に示すように、ブラケット４０は、第一プレート４０ａと、第一プレート４０ａに取り付けられたＴ字ピン（不図示）と、第一プレート４０ａから突出し、所定間隔あけて設けられた２つの第二プレート４０ｂとからなる。２つの第二プレート４０ｂには、貫通穴４０ｃがそれぞれ設けられている。本実施形態では、各第二プレート４０ｂに３つの貫通穴（４０ｃ１、４０ｃ２、４０ｃ３）が設けられており、貫通穴（４０ｃ１、４０ｃ２）は貫通穴４０ｃ３よりも第一プレート４０ａ側に設けられている。２つの第二プレート４０ｂ間の間隔は、切梁５０の両端部の外径よりも大きく形成されている。ブラケット４０は、各パネル（２１、３１）に設けられた鍵穴（２１ａ、３１ａ）にＴ字ピンを挿入することにより、各パネル（２１、３１）に取り付けられる。
【００５５】
本実施形態において切梁５０は円形パイプからなる。しかし、切梁５０の形状はこれに限定されない。切梁５０の長手方向両端部には、ブラケット４０と接続するための貫通穴５０ａがそれぞれ設けられている。本実施形態では切梁５０の端部に２つの貫通穴（５０ａ１、５０ａ２）が設けられており、２つの貫通穴（５０ａ１、５０ａ２）中心間の間隔は、ブラケット４０の２つの貫通穴（４０ｃ１、４０ｃ２）中心間の間隔と略一致している。
【００５６】
切梁５０は、２本のパイプが入れ子状となっており、それらが相対的にスライドすることにより伸縮して長さの調節が可能となっている。切梁５０は、水圧ポンプ（不図示）に接続されると共に、その水圧ポンプから送られる液体の水圧によって伸長する水圧式の切梁である。
【００５７】
切梁５０に水圧をかけることにより、各パネル（２１、３１）はそれぞれ側壁の外側直線部Ｓ１および側壁の内側直線部Ｓ２へ押圧され、各パネル（２１、３１）はそれぞれ側壁の外側直線部Ｓ１および側壁の内側直線部Ｓ２から受ける土圧に対抗する。
【００５８】
図７（ｂ）に示すように、各パネル（２１、３１）に取り付けられたブラケット４０の２つの第二プレート４０ｂ間に、切梁５０の両端部をそれぞれ挿入し、ブラケット４０の貫通穴（４０ｃ１、４０ｃ２）中心と切梁５０の貫通穴（５０ａ１、５０ａ２）中心とをそれぞれ略一致させた状態で、ピン等の接続部材Ｑ（Ｑ１、Ｑ２）をそれらの貫通穴に挿入することにより、切梁５０はブラケット４０に接続される。
【００５９】
図７（ｃ）は、切梁５０を旋回させた状態を表す斜視図である。切梁５０は水平面内において旋回可能にブラケット４０に接続されている。切梁５０と第一パネル２１（図７（ｃ）では不図示）側のブラケット４０とを接続する２本のピンＱを取り外し、さらに、切梁５０と第二パネル３１側のブラケット４０とを接続する２本のピンＱ（Ｑ１、Ｑ２）のうち片方のピンＱ２を取り外す。これにより、切梁５０は、他方のピンＱ１の中心軸を中心として水平面内において旋回可能となる。図７（ｃ）では、切梁５０を第二パネル３１と略平行となる位置まで旋回させた状態を表している。さらに、図７（ｃ）に示すように、切梁５０を旋回させた状態で、取り外したピンＱ２をブラケット４０の貫通穴４０ｃ３に挿入することにより、切梁５０の逆方向への旋回が妨げられ、切梁５０が元の位置に戻ることを防止できる。なお、ピンＱ１を取り外し、ピンＱ２の中心軸を中心として切梁５０を旋回させることも可能である。また、切梁５０と第一パネル２１側のブラケット４０とを接続するピンＱを中心として旋回させることも可能である。
【００６０】
通常、掘削空間内に埋設物を埋設する際には、掘削空間の上方から埋設物を吊り降ろして、掘削空間内に搬入する。このとき、切梁５０が水平面内で旋回可能であれば、埋設物を吊り降ろす際に切梁５０が邪魔になることがない。
【００６１】
また、本発明の土留壁構造物１では、横梁１４および切梁５０が長さ調節可能になっている。したがって、掘削空間の大きさ、すなわち埋設物の大きさや数に応じて、コーナ部用土留壁１０の寸法や、外側直線部用土留壁２０と内側直線部用土留壁３０との間隔を適宜変更することができる。
【００６２】
＜ブラケット１３の変形例＞
ブラケット１３の変形例であるブラケット１３Ａについて説明する。なお、以下では、すでに説明した部材と同一の部材については同一の符号を用い、その説明を省略する。図８（ａ）は、ブラケット１３Ａを示す斜視図である。ブラケット１３Ａは、第二プレート１３ｂが第一プレート１３ａに対して水平面内において所定角度傾斜して設けられている点がブラケット１３と異なっている。これにより、例えば横梁１４を縦梁１２に対して水平面内において所定角度傾斜させて取り付けることが可能となる。
【００６３】
＜支持部材６０について＞
図８（ｂ）は、コーナ部Ｃに沿って隣接する縦梁以外の縦梁同士を支持部材６０で接続した状態を表す平面図である。図８（ｂ）に示すように、コーナ部Ｃの始点Ｃ２および終点Ｃ３にそれぞれ配置されている縦梁１２同士は支持部材６０で接続されていてもよい。この場合、それぞれの縦梁１２にブラケット１３Ａを取り付け、このブラケット１３Ａを介して支持部材６０が接続される。支持部材６０は、長さ調節可能であることが好ましく、また、水平面内において旋回可能にブラケット１３Ａに取り付けられていることが好ましい。
【００６４】
＜横梁１４の変形例＞
上記では、水圧式の横梁１４について説明したが、横梁１４はこれに限定されない。横梁１４は、例えば、入れ子状となった２本のパイプの一方に少なくとも一つの貫通穴を設け、もう一方にはその長手方向に沿って所定間隔空けて複数の貫通穴を設けるようにしてもよい。そして、コーナ部Ｃに沿って隣接する縦梁間の長さに合わせて２本のパイプを相対移動させ、各パイプの貫通穴中心を一致させた状態で、ピン等の接続部材をそれらの貫通穴に挿入することにより２本のパイプが固定される構造であってもよい。さらに、水圧式の横梁１４と本変形例で説明した横梁１４とを組み合わせた横梁であってもよい。
【００６５】
＜第二実施形態＞
本発明の土留壁構造物１の第二実施形態について説明する。なお、以下では、上記第一実施形態において説明した部材と同一の部材については同一の符号を用い、その説明を省略する。
【００６６】
第一実施形態では、コーナ部Ｃの屈曲部Ｃ１の角度αが約９０度の場合について説明したが、以下では、コーナ部Ｃの屈曲部Ｃ１の角度αが９０度以外の場合について説明する。図９（ａ）は、土留壁構造物１の第二実施形態である土留壁構造物１Ａを表す平面図である。
【００６７】
図９（ａ）では、コーナ部の屈曲部Ｃ１、始点Ｃ２および終点Ｃ３には、縦梁１２がそれぞれ配置されている。ただし、屈曲部Ｃ１に配置される縦梁１２の側面１２ａには係合レール部１２ｂが設けられていない縦梁１２が使用される。そして、屈曲部Ｃ１に配置される縦梁１２の側面１２ａにはブラケット１３が取り付けられ、縦梁１２の側面１２ｃにはブラケット１３Ａが取り付けられる。ブラケット１３Ａの第二プレート１３ｂの傾斜角度は、埋設物の屈曲角度、すなわち、屈曲部Ｃ１の角度αに応じて適宜決定される。これにより、始点Ｃ２に配置された縦梁１２と屈曲部Ｃ１に配置された縦梁１２とを接続する横梁１４と、屈曲部Ｃ１に配置された縦梁１２と終点Ｃ３に配置された縦梁１２とを接続する横梁１４との間の角度が屈曲部Ｃ１の角度αに略一致し、各横梁１４は側壁のコーナ部Ｃに沿うようにして延びることになる。
【００６８】
＜第三実施形態＞
本発明の土留壁構造物１の第三実施形態について説明する。なお、以下では、上記実施形態において説明した部材と同一の部材については同一の符号を用い、その説明を省略する。
【００６９】
図９（ｂ）は、土留壁構造物１の第三実施形態である土留壁構造物１Ｂを表す平面図である。図９（ｂ）では、コーナ部Ｃが２つの屈曲部Ｃ１を有しており、２つの屈曲部Ｃ１がそれぞれコーナ部Ｃの始点Ｃ２および終点Ｃ３となっている側壁の土留壁構造物について示している。この場合、２つの屈曲部Ｃ１に配置される縦梁１２はいずれも、ブラケット１３に代えて縦梁１２の側面１２ｃにブラケット１３Ａが取り付けられている。そして、始点Ｃ２に配置された縦梁１２と終点Ｃ３に配置された縦梁１２とが横梁１４によって接続される。
【００７０】
＜第四実施形態＞
本発明の土留壁構造物１の第四実施形態について説明する。なお、以下では、上記実施形態において説明した部材と同一の部材については同一の符号を用い、その説明を省略する。
【００７１】
図９（ｃ）は、土留壁構造物１の第四実施形態である土留壁構造物１Ｃを表す平面図である。図９（ｃ）では、側壁の外側直線部Ｓ１にコーナ部Ｃ（第一コーナ部）が連続しているだけでなく、側壁の内側直線部Ｓ２にもコーナ部Ｃ’（第二コーナ部）が連続している側壁の土留壁構造物について示している。コーナ部Ｃは２つの屈曲部Ｃ１を有している。この場合、図９（ｃ）に示すように、屈曲部Ｃ１に配置される縦梁１２の側面１２ａにはブラケット１３が取り付けられ、縦梁１２の側面１２ｃにはブラケット１３Ａが取り付けられる。また、２つの屈曲部Ｃ１間にはコーナ部Ｃに沿って２本の縦梁１２が所定間隔あけて配置されている。コーナ部Ｃに沿って隣接する縦梁１２同士は横梁１４で接続される。
【００７２】
コーナ部Ｃ’は２つの屈曲部Ｃ１’を有しており、２つの屈曲部Ｃ１’がそれぞれコーナ部Ｃ’の始点Ｃ２’および終点Ｃ３’となっている。この場合、コーナ部Ｃ’用の土留壁（第二コーナ部用土留壁）は、図９（ｃ）に示すように、２つの屈曲部Ｃ１’にそれぞれ配置される縦梁１２を備えている。２つの屈曲部Ｃ１’に配置される縦梁１２はいずれも、ブラケット１３に代えて縦梁１２の側面１２ｃにブラケット１３Ａが取り付けられている。そして、始点Ｃ２’に配置された縦梁１２と終点Ｃ３’に配置された縦梁１２とが横梁１４によって接続され、側壁のコーナ部Ｃ’と各横梁１４との間にコーナ部Ｃ’に沿って複数の分割パネル１５が配置され、コーナ部Ｃ’用の土留壁（第二コーナ部用土留壁）が形成される。さらに、内側直線部Ｓ２に配置される第二パネル３１には、第一パネル２１と同様に、第二パネル３１の端部にガイドレール部３１ｂが縦方向に第二パネル３１に沿って設けられており、そして、縦梁１２の係合レール部１２ｂが第二パネル３１のガイドレール部３１ｂに挿入され、縦梁１２と第二パネル３１とは接続される。
【００７３】
本発明では、屈曲部Ｃ１を有するコーナ部Ｃ、コーナ部Ｃに連続する外側直線部Ｓ１および外側直線部Ｓ１と対向する内側直線部Ｓ２を有する掘削空間の側壁を土留めする土留壁構造物１を提供することができる。特に、従来はコーナ部Ｃの土留壁の構造が確立されていなかったが、本発明ではコーナ部Ｃを安全に土留めする新規な構造のコーナ部用土留壁１０を提供することができる。また、本発明の土留壁構造物１は、垂直に立ち上がる掘削空間の側壁に対しても設置することができ、したがって、掘削空間の側壁を上方へ向かうにしたがい次第に拡径するよう傾斜して掘削する必要がなく、工事スペースを省スペース化できる。また、本発明の土留壁構造物１は、第二実施形態から第四実施形態に示したように、コーナ部Ｃの屈曲部Ｃ１の角度αが９０度以外の場合にも適用できる。
【００７４】
さらに、第四実施形態にも示したように、屈曲部Ｃ１を有するコーナ部Ｃ、コーナ部Ｃに連続する外側直線部Ｓ１、屈曲部Ｃ１’を有しコーナ部Ｃと所定間隔あけて対向するコーナ部Ｃ’およびコーナ部Ｃ’と連続し外側直線部Ｓ１と対向する内側直線部Ｓ２を有する掘削空間の側壁を土留する土留壁構造物１（１Ｃ）を提供することができる。
【００７５】
本発明の土留壁構造物１は、掘削空間に曲管を埋設する際に特に有用である。
【００７６】
＜土留壁構造物の構築方法＞
次に土留壁構造物１の構築方法について図１０（ａ）〜（ｃ）を参照しながら説明する。以下では、コーナ部Ｃの屈曲部Ｃ１の角度αが約９０度の場合を例に説明する。
【００７７】
（１）第一パネル２１Ａおよび第二パネル３１Ａ、並びに切梁５０を準備する。第一パネル２１Ａおよび第二パネル３１Ａにブラケット４０を取り付けると共に、ブラケット４０に切梁５０を接続する。切梁５０によって互いに接続された第一パネル２１Ａおよび第二パネル３１Ａを側壁の外側直線部Ｓ１および側壁の内側直線部Ｓ２に配置する。そして、切梁５０に水圧をかけ、第一パネル２１Ａおよび第二パネル３１Ａをそれぞれ側壁の外側直線部Ｓ１および側壁の内側直線部Ｓ２に向けて押圧する（図１０（ａ）参照）。
【００７８】
（２）１本の縦梁１１と２本の縦梁１２とを準備し、各縦梁（１１、１２）にブラケット１３をそれぞれ取り付ける。各縦梁（１１、１２）をコーナ部Ｃの形状に合わせて配置する。すなわち、１本の縦梁１１とその両側に位置する２本の縦梁１２との成す角度が約９０度となるよう各縦梁（１１、１２）を配置する。そして、縦梁１１と縦梁１２とを横梁１４で接続し、各縦梁（１１、１２）および横梁１４からなる連結体を形成する。側壁のコーナ部Ｃにその連結体を設置する。このとき、第一パネル２１Ａのガイドレール部２１ｂに、コーナ部Ｃの始点Ｃ２に配置される縦梁１２の係合レール部１２ｂを挿入し、第一パネル２１Ａと縦梁１２とを接続する。そして、側壁のコーナ部Ｃと横梁１４との間に、コーナ部Ｃに沿って複数の分割パネル１５を配置する。必要に応じてコーナ部Ｃに沿って隣接する分割パネル１５同士を固定する。また、必要に応じて、各横梁１４に水圧をかけ、各横梁１４を伸長させる。これにより、縦梁１１がコーナ部Ｃ側へ押圧される共に、コーナ部Ｃの始点Ｃ２に配置された縦梁１２が第一パネル２１Ａへ向けて押圧される（図１０（ｂ）参照）。
【００７９】
（３）第一パネル２１Ｂおよび第二パネル３１Ｂ、並びに切梁５０を準備する。第一パネル２１Ｂおよび第二パネル３１Ｂにブラケット４０を取り付けると共に、ブラケット４０に切梁５０を接続する。切梁５０によって互いに接続された第一パネル２１Ｂおよび第二パネル３１Ｂを側壁の外側直線部Ｓ１および側壁の内側直線部Ｓ２に配置する。このとき、コーナ部Ｃの終点Ｃ３に配置された縦梁１２の係合レール部１２ｂに第一パネル２１Ｂのガイドレール部２１ｂを挿入し、縦梁１２と第一パネル２１Ｂとを接続する。また、第二パネル３１Ｂは第二パネル３１Ａの端部に当接するようにして配置される。そして、切梁５０に水圧をかけ、第一パネル２１Ｂおよび第二パネル３１Ｂをそれぞれ側壁の外側直線部Ｓ１および側壁の内側直線部Ｓ２に向けて押圧する。必要に応じて、各横梁１４にさらに水圧をかけ、各横梁１４を伸長させる。これにより、縦梁１１がコーナ部Ｃ側へ押圧されると共に、コーナ部Ｃの始点Ｃ２および終点Ｃ３に配置された各縦梁１２がそれぞれ第一パネル２１Ａおよび第一パネル２１Ｂへ向けて押圧される（図１０（ｃ）参照）。こうして、土留壁構造物１が構築される。
【００８０】
本発明の土留壁構造物１およびその構築方法は、掘削空間内に作業者が立ち入る前に掘削空間の側壁に対して土留壁を構築する、いわゆる「土止め先行工法」に利用することができる。
【符号の説明】
【００８１】
１            土留壁構造物
１Ａ〜１Ｃ    土留壁構造物
１０          コーナ部用土留壁
１１          縦梁
１２          縦梁
１２ｂ        係合レール部（挿入部）
１３          ブラケット
１３Ａ        ブラケット
１４          横梁
１５          分割パネル
２０          外側直線部用土留壁
２１Ａ        第一パネル
２１Ｂ        第一パネル
２１ｂ        ガイドレール部（受領部）
３０          内側直線部用土留壁
３１Ａ        第二パネル
３１Ｂ        第二パネル
３１ｂ        ガイドレール部（受領部）
４０          ブラケット
５０          切梁
６０          支持部材
Ｃ            側壁のコーナ部（第一コーナ部）
Ｃ’          側壁のコーナ部（第二コーナ部）
Ｃ１          屈曲部
Ｃ１’        屈曲部
Ｃ２          始点
Ｃ２’        始点
Ｃ３          終点
Ｃ３’        終点
Ｓ１          側壁の外側直線部
Ｓ２          側壁の内側直線部
Ｐ            接続部材
Ｑ            接続部材
【図１】
2015108284.tif 000003
【図２】
2015108284.tif 000004
【図３】
2015108284.tif 000005
【図４】
2015108284.tif 000006
【図５】
2015108284.tif 000007
【図６】
2015108284.tif 000008
【図７】
2015108284.tif 000009
【図８】
2015108284.tif 000010
【図９】
2015108284.tif 000011
【図１０】
2015108284.tif 000012
【図１１】
2015108284.tif 000013
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
屈曲部を有するコーナ部と、前記コーナ部と連続する外側直線部と、前記外側直線部と所定間隔あけて対向する内側直線部と、を有する掘削空間の側壁を支える土留壁構造物であって、
前記側壁の前記コーナ部を支えるコーナ部用土留壁と、
前記側壁の前記外側直線部を支える外側直線部用土留壁と、
前記側壁の前記内側直線部を支える内側直線部用土留壁と、
を備え、
前記コーナ部用土留壁は、
前記コーナ部に配置される複数の縦梁であって、少なくとも前記コーナ部の屈曲部に配置される縦梁を含む複数の縦梁と、
複数の前記縦梁のうち、前記コーナ部に沿って隣接する縦梁同士を接続する、長さ調節可能な長手状の横梁と、
前記コーナ部と前記横梁の短手方向端部との間で保持される複数の分割パネルであって、前記コーナ部に沿って配列される複数の分割パネルと、を備え、
前記外側直線部用土留壁は、
前記コーナ部に配置される複数の縦梁のうち、両端に配置される前記縦梁にそれぞれ接続されると共に、前記外側直線部に沿って配置される第一パネルを備え、
前記内側直線部用土留壁は、
前記内側直線部に沿って配置される第二パネルを備え、
前記第一パネルと前記第二パネルとは、前記第一パネルと前記第二パネルとを接続する長さ調節可能な切梁によって支持されている、
ことを特徴とする土留壁構造物。
【請求項２】
複数の前記縦梁は、
前記コーナ部の始点に配置される縦梁と、
前記コーナ部の終点に配置される縦梁と、
前記コーナ部の始点と終点との間に配置される縦梁であって、少なくとも前記コーナ部の屈曲部に配置される縦梁と、を備え、
前記第一パネルは、
前記コーナ部の始点および終点にそれぞれ配置される前記縦梁にそれぞれ接続される、
ことを特徴とする請求項１に記載の土留壁構造物。
【請求項３】
屈曲部を有する第一コーナ部と、前記第一コーナ部と連続する外側直線部と、屈曲部を有し前記第一コーナ部と所定間隔あけて対向する第二コーナ部と、前記第二コーナ部と連続し、前記外側直線部と所定間隔あけて対向する内側直線部と、を有する掘削空間の側壁を支える土留壁構造物であって、
前記側壁の前記第一コーナ部を支える第一コーナ部用土留壁と、
前記側壁の前記外側直線部を支える外側直線部用土留壁と、
前記側壁の前記第二コーナ部を支える第二コーナ部用土留壁と、
前記側壁の前記内側直線部を支える内側直線部用土留壁と、
を備え、
前記第一コーナ部用土留壁は、
前記第一コーナ部に配置される複数の縦梁であって、少なくとも前記第一コーナ部の屈曲部に配置される縦梁を含む複数の縦梁と、
複数の前記縦梁のうち、前記第一コーナ部に沿って隣接する縦梁同士を接続する、長さ調節可能な長手状の横梁と、
前記第一コーナ部と前記横梁の短手方向端部との間で保持される複数の分割パネルであって、前記第一コーナ部に沿って配列される複数の分割パネルと、を備え、
前記外側直線部用土留壁は、
前記第一コーナ部に配置される複数の縦梁のうち、両端に配置される前記縦梁にそれぞれ接続されると共に、前記外側直線部に沿って配置される第一パネルを備え、
前記第二コーナ部用土留壁は、
前記第二コーナ部に配置される複数の縦梁であって、少なくとも前記第二コーナ部の屈曲部に配置される縦梁を含む複数の縦梁と、
複数の前記縦梁のうち、前記第二コーナ部に沿って隣接する縦梁同士を接続する、長さ調節可能な長手状の横梁と、
前記第二コーナ部と前記横梁の短手方向端部との間で保持される複数の分割パネルであって、前記第二コーナ部に沿って配列される複数の分割パネルと、を備え、
前記内側直線部用土留壁は、
前記第二コーナ部に配置される複数の縦梁のうち、両端に配置される前記縦梁にそれぞれ接続されると共に、前記内側直線部に沿って配置される第二パネルを備え、
前記第一パネルと前記第二パネルとは、前記第一パネルと前記第二パネルとを接続する長さ調節可能な切梁によって支持されている、
ことを特徴とする土留壁構造物。
【請求項４】
前記分割パネルは、前記横梁の長手方向に沿って分割されている、
ことを特徴とする請求項１から３のいずれか１項に記載の土留壁構造物。
【請求項５】
前記第一パネルに接続される前記縦梁の端部または前記第一パネルの端部の一方には挿入部が設けられ、前記第一パネルに接続される前記縦梁の端部または前記第一パネルの端部の他方には前記挿入部を受け入れる受領部が設けられている、
ことを特徴とする請求項１から４のいずれか１項に記載の土留壁構造物。
【請求項６】
前記第二パネルに接続される前記縦梁の端部または前記第二パネルの端部の一方には挿入部が設けられ、前記第二パネルに接続される前記縦梁の端部または前記第二パネルの端部の他方には前記挿入部を受け入れる受領部が設けられている、
ことを特徴とする請求項３に記載の土留壁構造物。
【請求項７】
前記切梁は、水平面内において旋回可能に、前記第一パネルおよび前記第二パネルに接続されている、
ことを特徴とする請求項１から６のいずれか１項に記載の土留壁構造物。
【請求項８】
当該土留壁構造物は、曲管を前記掘削空間内に埋設する際に使用される、
ことを特徴とする請求項１から７のいずれか１項に記載の土留壁構造物。
【請求項９】
屈曲部を有するコーナ部と、前記コーナ部と連続する外側直線部と、前記外側直線部と所定間隔あけて対向する内側直線部と、を有する掘削空間の側壁を支える土留壁構造物の構築方法であって、
第一パネルおよび第二パネルを長さ調節可能な切梁で接続し、前記切梁によって接続された前記第一パネルおよび前記第二パネルをそれぞれ前記外側直線部および前記内側直線部に配置して、前記外側直線部の土留壁および前記内側直線部の土留壁を形成する工程と、
前記側壁のコーナ部の形状に合わせて複数の縦梁を配置し、前記縦梁のうち隣接する縦梁同士を長さ調節可能な長手状の横梁で接続して連結体を形成し、前記連結体を前記コーナ部に設置し、前記コーナ部と前記横梁の短手方向端部との間に、複数の分割パネルを前記コーナ部に沿って挿入する工程と、
を備えていることを特徴とする土留壁構造物の構築方法。